(57)【要約】【課題】遊技機の制御基板のＩＣチップを制御基板収納ケースの側面を介して交換する不正行為を防止し得る制御基板ユニットを提供する。【解決手段】制御基板収納ケース２を、ＩＣチップ７が装着された制御基板３の実装面を覆う樹脂製のケースカバー４と、前記実装面の裏側を覆う底板５とを組み付けてなる構成とし、さらに、ケースカバー４の天壁面１６に、先端１９を前記ＩＣチップ７の上端に当接又は近接させる離脱防止突部１８を一体的に形成する。かかる構成にあっては、ケースカバー４の天壁面１６から突出する離脱防止突部１８が、ＩＣチップ７がＩＣソケット８から離脱するのを阻止するため、制御基板収納ケース２の側面に開口部を形成してＩＣチップ７を交換する不正行為を防止できる。【選択図】図４
2010069076.tif 000002
【特許請求の範囲】
【請求項１】
遊技を制御する制御基板を制御基板収納ケースに収容してなる遊技機の制御基板ユニットであって、
前記制御基板には、実装面に実装されたＩＣソケットにＩＣチップが脱着可能に装着されており、
前記制御基板収納ケースは、前記制御基板の実装面側を覆う樹脂製のケースカバーと、前記実装面の裏側を覆う底板とを組み付けてなるものであり、該ケースカバーの天壁面には、先端を前記ＩＣチップの上端に当接又は近接して前記ＩＣチップがＩＣソケットから離脱するのを阻止する離脱防止突部が一体的に形成されていることを特徴とする遊技機の制御基板ユニット。
【請求項２】
前記ケースカバーは、透明樹脂で構成されていることを特徴とする請求項１記載の遊技機の制御基板ユニット。
【請求項３】
前記ケースカバーの天壁面に、ＩＣチップの上方において凸状に膨出し、ＩＣチップの上面を拡大視可能とする凸レンズが一体的に形成されていることを特徴とする請求項２記載の遊技機の制御基板ユニット。
【発明の詳細な説明】
【技術分野】
【０００１】
本発明は、パチンコ機やスロットマシンなどの遊技機に配設される制御基板ユニットに関する。
【背景技術】
【０００２】
パチンコ機やスロットマシンなどの遊技機の制御基板には、大当り発生確率などの遊技制御内容が書き込まれたＩＣチップが配設されている。この遊技制御内容は、法的規制に沿って設定されており、勝手に変更することが禁じられている。しかしながら、かかるＩＣチップは、基板に実装されたＩＣソケットに脱着可能に取り付けられているため、当該ＩＣチップを別のＩＣチップに付け替えることにより、大当りを発生し易くしたり、賞球数を増やしたりするなどの不正行為が行われてきた。
【０００３】
従来の遊技機では、制御基板を樹脂製の制御基板収納ケースに収容して制御基板ユニットを構成することにより、このような不正行為を防止するようにしている。具体的には、制御基板収納ケースは、制御基板の実装面側を覆う樹脂製のケースカバーと、前記実装面の裏側を覆う底板とを特殊ネジ等によって分離不能に組み付けてなるものであり、ケースカバーと底板を分離して制御基板に細工をしようとすると、ケースカバーと底板の結合部分が大きく破壊され、制御基板への細工がすぐに発覚するようになっている（例えば、特許文献１）。
【０００４】
【特許文献１】特開２００７−１４３７５２号公報
【発明の開示】
【発明が解決しようとする課題】
【０００５】
ところが、近年、図１１に示すように、従来の制御基板ユニット１ｂにあって、制御基板収納ケース２ｂの側面に目立たないように開口部３０を形成し、該開口部３０からケース内に道具を挿入して、ＩＣソケット８ｂに装着されたＩＣチップ７ｂを抜き取り、別のＩＣチップ７ｃをＩＣソケット８ｂに装着するという不正行為が散見されている。ここで、図１１にあって、３は制御基板、４ｂはケースカバー、５は底板、１３は止めネジである。このため、上記制御基板ユニットのように、ケースカバーと底板を分離不能に組み付けるだけではＩＣチップの不正交換を十分に防止できなくなっており、かかる不正行為に対する新たな対策が求められていた。
【０００６】
本発明はかかる問題の解決を試みたものであり、ＩＣチップを交換する上記不正行為を防止し得る遊技機の制御基板ユニットの提供を目的とする。
【課題を解決するための手段】
【０００７】
本発明は、遊技を制御する制御基板を制御基板収納ケースに収容してなる遊技機の制御基板ユニットであって、前記制御基板には、実装面に実装されたＩＣソケットにＩＣチップが脱着可能に装着されており、前記制御基板収納ケースは、前記制御基板の実装面側を覆う樹脂製のケースカバーと、前記実装面の裏側を覆う底板とを組み付けてなるものであり、該ケースカバーの天壁面には、先端を前記ＩＣチップの上端に当接又は近接して前記ＩＣチップがＩＣソケットから離脱するのを阻止する離脱防止突部が一体的に形成されていることを特徴とする遊技機の制御基板ユニットである。
【０００８】
かかる構成にあっては、ＩＣチップの上端に対して離脱防止突部の先端が当接又は近接しているため、制御基板収納ケースの側面に形成した開口部を介してＩＣチップを取り外そうとしても、離脱防止突部の先端が邪魔となり、取り外しできない。
【０００９】
本発明にあって、離脱防止突部の先端は、少なくとも、ＩＣチップのＩＣソケットからの脱落を阻止する程度に近接又は当接させなければならない。すなわち、ＩＣチップをＩＣソケットから抜き取る際にＩＣチップを上方移動させる距離よりも、離脱防止突部の先端をＩＣチップの上端に近接させなければならない。
【００１０】
本発明において、前記ケースカバーは、透明樹脂で構成されていることが望ましい。かかる構成にあっては、離脱防止突部が不正行為によって破損した場合に容易に見つけ出すことができ、不正行為に対する監視負担が軽減される。ここで、透明樹脂とは、無色透明に限らず、有色透明なものを含む。ケースカバーを構成する樹脂材料は、既存の制御基板収納ケースの構成材料を好適に採用できる。
【００１１】
また、ケースカバーが透明樹脂で構成される場合にあっては、前記ケースカバーの天壁面に、ＩＣチップの上方において凸状に膨出し、ＩＣチップの上面を拡大視可能とする凸レンズが一体的に形成されている構成が提案される。かかる構成にあっては、透明なケースカバーに形成された凸レンズを介して、ケースの外側からＩＣチップの上面に印字されたＩＣチップの識別情報を拡大視可能となるから、ＩＣチップが真正なものであるか否かを容易に判定可能となる。
【００１２】
本発明に係る離脱防止突部の形状は特に限定されるものではないが、リブ状、柱状、突起状などが挙げられる。また、一つのＩＣチップに対して複数の離脱防止突部を近接させてもかまわない。また、制御基板にＩＣチップが複数設けられる場合には、少なくとも一つのＩＣチップに対して離脱防止突部が形成されていればよい。
【００１３】
また、上述のように、本発明の特徴は制御基板収納ケースの内部構造にあるから、本発明に係る制御基板収納ケースは、既存の制御基板収納ケースと同様にしてパチンコ機やスロットマシン等の遊技機へ配設できる。
【発明の効果】
【００１４】
以上のように、本発明の制御基板ユニットにあっては、ＩＣチップの上方に離脱防止突部が形成されているため、制御基板収納ケースの側面に開口部を形成しても、該離脱防止突部が邪魔となりＩＣチップをＩＣソケットから抜き取ることができない。したがって、本発明によれば、ＩＣチップの不正交換をより確実に防止できる。
【００１５】
また、本発明によれば、離脱防止突部によって、振動などによってＩＣチップがＩＣソケットから離脱するのも防止できる。また、本発明の構成にあっては、ＩＣチップをＩＣソケットに装着する際にＩＣソケットへの挿入が不十分でＩＣチップが浮き上がっていると、制御基板収納ケースに収容する際にＩＣチップが離脱防止突部と衝突することとなるから、ＩＣチップの装着不良を早期にかつ容易に発見できる。
【発明を実施するための最良の形態】
【００１６】
本発明の実施形態を、以下の実施例に従って説明する。
【００１７】
本実施例の制御基板ユニット１は、図１に示すように、制御基板収納ケース２に制御基板３を収容してなるものである。制御基板収納ケース２は、制御基板３の実装面１０を覆う透明樹脂製のケースカバー４と、該実装面１０の裏側を覆う樹脂製の底板５とで構成される。制御基板３とケースカバー４の各四隅には貫通孔１１，１２が夫々形成されており、ケースカバー４、制御基板３、底板５を積層状に配置した状態で、各貫通孔１１，１２に止めネジ１３を挿通して、底板５の四隅に設けられたネジ孔１４に螺合させることにより、ケースカバー４、制御基板３、底板５が積層方向に緊締されて一体化される。ここで、止めネジ１３は緊締方向にしか回転操作できない特殊ネジであり、一体化された制御基板３、ケースカバー４、底板５は、緊締部分を破壊しない限り分離できない。
【００１８】
制御基板３は、薄板形状で、回路パターン（図示省略）が形成された一般的なプリント基板であり、片面に各種電子部品を装着する実装面１０を具備している。実装面１０には、図１，２に示すようにＩＣソケット８が実装されており、該ＩＣソケット８の上部にＩＣチップ７が脱着可能に装着される。ここで、本実施例の制御基板ユニット１は、後述するようにパチンコ機に配設されるものであり、該ＩＣチップ７には、大当り発生確率などのパチンコ遊技に係る制御内容が記憶される。また、ＩＣチップ７の上面には、チップ固有の識別情報１７が印字される。また、図示省略しているが、実装面１０には、ＩＣソケット８以外に多数の電子部品（抵抗、コンデンサ等）が半田ロウを介して実装されている。また、実装面１０の外側縁には、パチンコ機に配設される他の基板や電源と接続するためのコネクタ受け部９が実装されている。
【００１９】
図１，５に示すように、ケースカバー４は、制御基板３の上方に実装面１０を覆うように配置される、下部が開放した箱状樹脂部材である。ケースカバー４は、透明な合成樹脂材で構成されており、これにより、制御基板３に実装された電子部品等を外部から視認可能としつつ、制御基板３の実装面１０を外界から保護している。また、ケースカバー４の天板１５は、主面となる高背部１５ａと、高背部１５ａの側傍で帯状に形成された高背部１５ａより背の低い低背部１５ｂとで構成される。
【００２０】
ケースカバーの天壁面１６であって、ＩＣチップ７と対向する部分には、先端１９を前記ＩＣチップ７の上端に近接させる離脱防止突部１８が形成される。離脱防止突部１８は、図３〜５に示すように、ケースカバー４と一体的に形成されて、断面略凹字状をなしており、二又に分かれたリブ状の先端（先端）１９，１９は、ＩＣチップ７の両側上端に夫々近接している。かかる構成にあっては、ＩＣチップ７をＩＣソケット８から抜き取るためには、ＩＣチップ７をＩＣソケット８から約５ ｍｍ持ち上げなくてはならないところ、離脱防止突部１８の先端１９と、ＩＣチップ７の上端と間には１ ｍｍ程度のスペースしか存在しないため、離脱防止突部１８が邪魔となり、ＩＣチップ７をＩＣソケット８から抜き取ることができない。
【００２１】
また、図３〜５に示すように、ケースカバー４の天壁面１６であって、ＩＣチップ７と対向する部分には、下方へ凸状に膨出する凸レンズ２１が一体的に形成される。かかる凸レンズ２１は、離脱防止突部１８の先端１９，１９に挟まれた位置に形成されて、ＩＣチップ７上面の識別情報１７の直上に位置している。かかる凸レンズ２１によれば、透明なケースカバー４を介して、制御基板ユニット１の外側からＩＣチップ７の識別情報１７を拡大視することができる。
【００２２】
そして、低背部１５ｂであってコネクタ受け部９と対向する部位には、厚み方向に貫通するコネクタ接続用開口２２が開口している。このコネクタ接続用開口２２は、上述のコネクタ受け部９が挿通し得る大きさで開口しており、コネクタ受け部９がコネクタ接続用開口２２に挿通されて外部に露出し、これにより、配線ケーブルのコネクタをコネクタ受け部９に接続可能となっている。
【００２３】
また、制御基板３の実装面１０の裏側を覆う底板５は、上部が開口する箱状樹脂部材であり、制御基板ユニット１の底部を構成する。底板５は、止めネジ１３により制御基板３と連結された状態で、制御基板３をその内部に収納して当該制御基板３を保持するものである。また、底板５の下底面には図示しない連結部材が一体的に設けられており、制御基板ユニット１は、該連結部材を介することによって、図６に示すように、パチンコ機Ｐの背面に装着される。ここで、図６において、Ｕは他の制御基板ユニットであり、Ｒは制御基板ユニット等を固定する裏機構板である。
【００２４】
かかる制御基板ユニット１にあっては、ケースカバー４の天壁面１６に一体的に形成された離脱防止突部１８がＩＣチップ７の上端に近接しているから、ケースカバー４の側面に開口部を形成したとしても、ＩＣチップ７をＩＣソケット８から抜き取ることができず、ＩＣチップ７を不正なものに交換することができない。
【００２５】
また、かかる構成にあっては、振動などによってもＩＣチップ７が脱落することがない。また、製造時にＩＣチップ７のピンがＩＣソケット８に完全に挿入されず、ＩＣチップ７が浮き上がっていると、制御基板収納ケース２に収容する際に離脱防止突部と当接することとなるから、装着不良を簡単かつ速やかに発見できる。
【００２６】
また、かかる構成にあっては、ＩＣチップ７と対向する部分に設けられた凸レンズ２１によって、ＩＣチップ７上面の識別情報１７を拡大視可能となっているから、ＩＣチップ７が真正なものであるか否かを容易に確認できる。
【００２７】
次に、図７〜１０を参照して、ＩＣチップが上部に装着されるソケット本体と、ＩＣチップを上方から保持するようにソケット本体に係合するソケットカバーとで構成されるＩＣソケットを具備する変形例の制御基板ユニット１ａについて説明する。なお、上記実施例と構成の共通する部分については符号を共通させて説明を省略する。
【００２８】
変形例に係るＩＣソケット８ａは、ソケット本体２４とソケットカバー２５とで構成される。ソケット本体２４は、ＩＣチップ７ａのリード２７と圧接するコンタクト２６を備え、制御基板３の実装面１０に表面実装される。矩形枠状のソケットカバー２５は、ソケット本体２４に係脱可能となっており、ＩＣチップ７ａをソケット本体２４に装着し、ソケットカバー２５をソケット本体２４に係合させると、ソケットカバー２５によってリード２７の端部を上方から保持されてＩＣチップ７ａがソケット本体２４から離脱不能となる。詳述すると、ソケット本体２４の両側部にはコンタクト２６の上方位置に、複数の係合突部２８が形成されており、また、ソケットカバー２５の内周面には該係合突部２８と係合する係合溝２９が形成されており、ソケットカバー２５をソケット本体２４に被せてスライドさせると、ソケット本体２４とソケットカバー２５が係合してソケットカバー２５が上昇不能となり、ＩＣチップ７ａはソケットカバー２５によってコンタクト２６に弾接した状態で保持される。また、かかる係合状態から、逆方向にスライドさせるとソケット本体２４とソケットカバー２５の係合が解除され、ソケットカバー２５及びＩＣチップ７を取外し可能となる。なお、かかるＩＣチップ７ａとＩＣソケット８ａは、既存の遊技機の制御基板に用いられる公知品であり、詳細な説明は省略する。
【００２９】
図９，１０に示すように、離脱防止突部１８ａは、上記実施例同様に、ケースカバー４ａの天壁面１６の、ＩＣチップ７と対向する部分に一体的に形成される。本変形例の離脱防止突部１８ａは、直方体状をなし、その先端１９ａが、ＩＣチップ７ａ及びソケットカバー２５の上端全体に近接するように配置される。ここでソケットカバー２５及びＩＣチップ７ａは、ソケット本体２４から約５ ｍｍ持ち上げないとソケット本体２４から取り外せないところ、離脱防止突部１８ａと、ソケットカバー２５並びにＩＣチップ７ａの上端との間には１ ｍｍ程度の隙間しか存在しないため、制御基板収納ケース２ａの側面に開口部を形成しても、これらを抜き取ることはできない。
【００３０】
なお、本発明における制御基板ユニットは、上記実施例の形態に限らず本発明の要旨を逸脱しない範囲内において種々変更を加えることができる。例えば、上記実施例はパチンコ機用の制御基板ユニットであるが、本発明はパチンコ機用に限らず、スロットマシン等の制御基板ユニットを備える遊技機全般に適用可能である。
【図面の簡単な説明】
【００３１】
【図１】制御基板ユニット１の分解斜視図である。
【図２】制御基板ユニット１の平面図である。
【図３】ケースカバー４の天壁面１６を示す斜視図である。
【図４】図２中のＡ−Ａ部分の断面図である。
【図５】図２中のＢ−Ｂ部分の断面図である。
【図６】制御基板ユニット１の装着例を示すパチンコ機Ｐの背面図である。
【図７】変形例の制御基板ユニット１ａの分解斜視図である。
【図８】ＩＣソケット８ａとＩＣチップ７ａを分離して示す斜視図である。
【図９】ケースカバー４ａの天壁面１６を示す斜視図である。
【図１０】ＩＣチップ７ａ部分で切断して示す制御基板ユニット１ａの正面図である。
【図１１】従来の制御基板ユニット１ｂにおける不正行為の態様を示す説明図である。
【符号の説明】
【００３２】
１，１ａ，１ｂ  制御基板ユニット
２，２ａ，２ｂ  制御基板収納ケース
３  制御基板
４，４ａ，４ｂ  ケースカバー
５  底板
７，７ａ，７ｂ，７ｃ  ＩＣチップ
８，８ａ，８ｂ  ＩＣソケット
１０  実装面
１６  天壁面
１７  識別情報
１８，１８ａ  離脱防止突部
１９，１９ａ  先端
２１  凸レンズ
２４  ソケット本体
【図１】
2010069076.tif 000003
【図２】
2010069076.tif 000004
【図３】
2010069076.tif 000005
【図４】
2010069076.tif 000006
【図５】
2010069076.tif 000007
【図６】
2010069076.tif 000008
【図７】
2010069076.tif 000009
【図８】
2010069076.tif 000010
【図９】
2010069076.tif 000011
【図１０】
2010069076.tif 000012
【図１１】
2010069076.tif 000013